(57)【要約】【課題】講演会やイベントなどの会場に移動可能であり、短時間子供を預けることができる移動託児所システムを提供すること。【解決手段】依頼者が移動託児所管理センタに予約を入れ、予約内容に基づいて作成されたスケジュール情報が託児車に送られる。予約時間に依頼者が所定の託児車の場所まで行って託児車に子供を預ける。依頼者は携帯端末を貸与される。携帯端末が撮像機能付きのものである場合には、パスワードを設定する。託児時間終了の所定時間前に、託児車側から携帯端末に連絡が行く。依頼者が子供を受け取りに来たときに、依頼者は携帯端末を返却し、必要に応じて自動精算を行う。【選択図】　　　図６
2004094600.tif 000002
【特許請求の範囲】
【請求項１】
移動可能であり、少なくとも一人の子供の託児を行うことができるスペースを有する託児車と、前記託児車における託児の情報を管理する移動託児所管理センタと、を具備し、依頼者があらかじめ申し込んだ託児時間、場所、人数により、移動託児管理センタは依依頼者が子供を預ける所定の託児車を指定し、前記託児の情報に基づいて前記託児車内で前記子供の託児が行われることを特徴とする移動託児所システム。
【請求項２】
前記依頼者には子供を託児車に預ける際に携帯端末が貸与され、前記託児時間終了前に、前記携帯端末に託児時間終了の連絡を行うことを特徴とする請求項１記載の移動託児所システム。
【請求項３】
前記携帯端末は、画像表示機能付であることを特徴とする請求項１乃至請求項２記載の移動託児所システム。
【請求項４】
該前記依頼者が前記子供を引き取る際の託児時間分の託児費用の精算は、前記託児車に設置された精算機により自動的に行われることを特徴とする請求項１乃至請求項３記載の移動託児所システム。
【請求項５】
少なくとも小児用ベッド、小児用ソファー、小児用トイレを備え、請求項１から請求項４のいずれかに記載の移動託児所システムに使用されることを特徴とする移動託児所システム用託児車。
【請求項６】
前記託児車はバス、トラック、トレーラ及びキャンピングカーからなる群より選ばれたいずれか一つであることを特徴とする請求項５記載の移動託児所システム用託児車。
【発明の詳細な説明】
【０００１】
【発明の属する技術分野】
本発明は、どのような場所においても、短時間子供を預けることができる移動託児所システムに関する。
【０００２】
【従来の技術】
昔は、１世帯における家族の数が多く、祖父や祖母が同居するケースも多かったので、祖父や祖母も子供の面倒を見ていた。また、１世帯における子供の数も多く、子供が下の子供の子守りをすることもあった。さらに、近所付き合いも多かったため、近所ぐるみで子供たちの面倒を見るということも行われていた。したがって、母親が一日中一人の子供にべったりついているということは比較的少なかったと考えられる。
【０００３】
【発明が解決しようとする課題】
しかしながら、現在では、核家族化が進み祖父や祖母が近くにいないために、通常祖父や祖母が子供の面倒を見ることはない。また、少子化のために、上の子供が下の子供の子守りをすることもない。さらに、近所同士の付き合いがほとんどないために、近所ぐるみで子供たちの面倒を見るということもない。したがって、母親が一日中一人の子供にべったりついている必要がある。
【０００４】
一方、高度経済成長の中で、女性が高学歴化していき、趣味や仕事にアクティブになってきている。このため、母親になった女性の行動範囲も広くなってきている。例えば、講演会やイベントなどに積極的に参加する母親も増えてきている。このような場合に、講演会やイベントなどの会場の近くで、短時間でもいいから子供を預けられるシステムがあればという要望が高まってきている。
【０００５】
本発明はかかる点に鑑みてなされたものであり、講演会やイベントなどの会場に移動可能であり、短時間子供を預けることができる移動託児所システムを提供することを目的とする。
【０００６】
【課題を解決するための手段】
本発明の移動託児所システムは、移動可能であり、少なくとも一人の子供の託児を行うことができるスペースを有する託児車と、前記託児車における託児の情報を管理する移動託児所管理センタと、を具備し、依頼者があらかじめ申し込んだ託児時間、場所、人数により、移動託児管理センタは依依頼者が子供を預ける所定の託児車を指定し、前記託児の情報に基づいて前記託児車内で前記子供の託児が行われることを特徴とする。
【０００７】
この構成によれば、講演会やイベントなどの会場で短時間子供を預けることができ、依頼者のイベントなどの参加が可能となる。この結果、子守りにより趣味やイベント参加が妨げられることを回避して、積極的に社会参加を行うことが可能となる。
【０００８】
本発明の移動託児所システムは、依頼者には子供を託児車に預ける際に携帯端末が貸与され、託児時間終了前に、携帯端末に託児時間終了の連絡を行うことが好ましい。これにより、託児時間の終了をあらかじめ依頼者に認識させることが可能である。
【０００９】
本発明の移動託児所システムは、携帯端末は、画像表示機能付であることが好ましい。これにより、依頼者は携帯端末により撮影された子供の状態を確認することができる。
【００１０】
本発明の移動託児所システムは、依頼者が子供を引き取る際の託児時間分の託児費用の精算は、託児車に設置された精算機により自動的に行われることが好ましい。
【００１１】
本発明の移動託児所システムは、少なくとも小児用ベッド、小児用ソファー、小児用トイレを備えている移動託児所システム用託児車が使用されることが好ましい。また、前記託児車はバス、トラック、トレーラ及びキャンピングカーからなる群より選ばれたいずれか一つであることが好ましい。
【００１２】
【発明の実施の形態】
以下、本発明の実施の形態について、添付図面を参照して詳細に説明する。
図１は、本発明の一実施の形態に係る移動託児所システムの構成を説明するための図である。
【００１３】
図１に示す移動託児所システムは、移動託児業務を管理する移動託児所管理センタ１１と、移動して託児を行う託児車１２ａ，１２ｂと、移動託児を依頼する依頼者１３ａ，１３ｂとから主に構成される。
【００１４】
この移動託児所システムにおいては、依頼者１３ａ，１３ｂが移動託児所管理センタ１１にあらかじめ登録しておき、移動託児を希望するときに、移動託児所管理センタ１１に予約を行う。依頼者１３ａ，１３ｂが移動託児所管理センタ１１に登録を行うと、移動託児所管理センタ１１では、図２に示すように、登録を完了した人のデータベースを更新する。
【００１５】
図２は、本発明の移動託児所システムにおける移動託児所管理センタでの管理項目を説明するための図である。ここで、図２に示すデータベースの登録項目は一例であり、この登録項目は図２に示す以外のものであっても良い。例えば、図２においては、登録事項が氏名、住所、子供名、嫌いな物、性格になっているが、子供の年齢、移動託児を希望する地域、移動託児を希望する時間帯などを登録事項に加えても良い。また、登録事項に子供のアレルギーや特定の病気などの情報を入れることにより、その子供を保育する託児車に情報を送信しておき、その情報を保育に反映させるようにしても良い。
【００１６】
依頼者１３ａ，１３ｂは、移動託児所管理センタ１１であらかじめ設定した登録事項を移動託児所管理センタ１１に送り、移動託児所管理センタ１１は、その登録事項を図２に示すようなデータベースに更新する。この登録は、依頼者１３ａ，１３ｂが移動託児所管理センタ１１に直接電話をかけて行っても良く、インターネットのウェブ（移動託児所管理センタのホームページ）上で行っても良い。登録が完了すると、移動託児所管理センタ１１は、依頼者毎にＩＤ番号を設定し、そのＩＤ番号を依頼者に通知する。この通知も郵便や電話で行っても良く、電子メールで行っても良い。
【００１７】
移動託児所管理センタ１１に登録した依頼者１３ａ，１３ｂが移動託児管理センタ１１に移動託児の予約をすると、移動託児所管理センタ１１は、予約時間や移動託児を希望する場所、子供の人数を確認した上で、図２に示すデータベースを参照して、適切な託児車を選択し、その依頼者の移動託児をその適切な託児車に割り当てる。図１においては、依頼者１３ａの移動託児が託児車１２ａに割り当てられ、依頼者１３ｂの移動託児が託児車１２ｂに割り当てられる。
【００１８】
また、本システムにおいては、依頼者への連絡のために、依頼者が子供を預ける際に携帯端末を貸与し、子供を受け取りに来る際に携帯端末を返却するようにしても良い。携帯端末としては、携帯電話、ポケットベル、ＰＤＡなどが挙げられる。
【００１９】
特に、画像表示機能付きの携帯電話を貸与することにより、依頼者は託児時間中に託児車の内部を見ることができ、安心して託児を任せることができる。なお、この画像表示機能付き携帯端末は、オプションとして希望者のみに貸与し、オプション金額として通常の金額よりも高く設定するようにしても良い。このオプションの希望は予約時に行う。さらに、画像表示機能付き携帯端末を利用する場合には、依頼者のみが託児車内を見ることができ、他人には見られないようにするために、パスワードを設定するようにしても良い。このパスワードの設定は、携帯電話を貸与する際に行う。パスワードが設定されると後述する図３のスケジュール情報に更新される。
【００２０】
画像表示機能付き携帯端末に託児車内部の映像を表示させるために、託児車内部を撮影する場合には、種々の角度から子供たちを撮影することができるように、託児車内部に複数の撮像機（例えば、ビデオカメラなど）を設置することが望ましい。これにより、依頼者はアングルを選択して自分の子供の状況を確認することが可能となる。この場合、画像表示機能付きの携帯端末には、複数のアングルの画像が領域分割された画面にすべて表示され、依頼者が好みのアングルを選択するように設定され、特定のアングルが選択されると、そのアングルの画像が画面全面に表示されるようにする。また、撮像した画像は、依頼者のノートパソコンなどに転送できるようにしても良い。
【００２１】
託児車１２ａ，１２ｂには、保育士が在車して託児を行う。このとき、移動託児所管理センタ１１は、預かる子供の場所や年齢に応じた託児数を調整することに留意し、所定の託児車に割り当てる。例えば、０歳児の場合、保育士１人に対して０歳児３人、１歳児の場合、保育士１人に対して１歳児５人、２歳児の場合、保育士１人に対して２歳児７人、３歳児の場合、保育士１人に対して３歳児１０人、４歳児の場合、保育士１人に対して４歳児１５人などである。もちろん、この保育士に対する子供の人数は例示であり、種々変更することができる。
【００２２】
移動託児所管理センタ１１は、図３に示すように、受け付けた予約内容に基づいて託児車毎のスケジュールを作成し、そのスケジュール情報を各託児車に送る。
このとき、移動託児所管理センタ１１は、予約内容からどの場所にどの託児車を送れば良いかを検討して決定する。
【００２３】
スケジュール情報を送る方法については、保育士に直接ＦＡＸや電話などで通知しても良く、移動託児所管理センタ１１から各託児車に設置された端末に通信で伝送するようにしても良い。ここでは、移動託児所管理センタ１１が作成したスケジュール情報を各託児車に設置された端末に通信で伝送することとする。ここで、図３に示すスケジュール情報の管理項目は一例であり、この管理項目は図３に示す以外のものであっても良い。
【００２４】
託児車１２ａ，１２ｂに設置されている端末では、例えば、スケジュール情報に基づいて、すなわち、図３に示す管理項目の託児時間や経過時間の情報を用いて、図４に示すように、タイムスケジュール表示するようにしても良い。このタイムスケジュール表示においては、時間が経過すると経過した部分の表示形態が異なる（例えば、斜線や網掛け、色を変えるなど）ようになる。これにより、保育士が残り時間などの確認をする際に便利となる。
【００２５】
次に、図５及び図６を用いて、実際に依頼者が予約時間に子供を預けに来て、託児時間終了時間に子供を受け取りに来る手順について説明する。図５は、本発明の移動託児所システムにおける託児車に設置された精算機を示す図であり、図６は、本発明の移動託児所システムの手順を示すシーケンス図である。
【００２６】
まず、あらかじめ登録された依頼者が移動託児所管理センタに予約を入れ、予約内容に基づいて作成されたスケジュール情報が託児車に送られる。また、このとき、託児車がどこに駐車するかについての情報を依頼者に伝達する。そして、その予約時間に依頼者が託児車の場所まで行って託児車に子供を預ける。このとき、依頼者は携帯端末を貸与される。携帯端末が撮像機能付きのものである場合には、パスワードを設定する。保育士は、そのパスワードを図３に示すスケジュール情報に更新する。したがって、パスワードを入力しないと、携帯電話で託児車内部を見られない状態となる。これで、依頼者は、託児時間内であれば必要に応じて託児車内部を監視できる。
【００２７】
託児時間終了の所定時間前に、託児車側から携帯端末に連絡が行く。この連絡は、託児車に設置された端末にあらかじめ設定しておくことにより、端末が図３に示すスケジュール情報を参照して自動的に行うことができる。例えば、託児時間終了３０分前に、「託児時間終了３０分前です」というメールを携帯端末に自動的に送信する。これにより、依頼者に託児時間の終了を認識させることが可能となる。また、この際に、延長するかしないかの回答ができるようにしておき、依頼者が画面上で選択できるようにしても良い。これにより、イベント中であっても、終了時間の確認や延長請求などを無言で行うことができる。
【００２８】
携帯端末に連絡がいくとき、例えば、図７（ａ）に示すような画面表示がなされる。そして、ＹＥＳを選択すると、図７（ｂ）に示す画面となり、託児時間及びその料金が表示される。一方、ＮＯを選択すると、図７（ｃ）に示すような画面となり、延長時間を選択する。延長時間を選択すると、図７（ｄ）に示す画面となり、延長時間を含めた託児時間及び料金が表示される。その後、図７（ｅ）に示すように確認画面となる。そして、ＹＥＳを選択すると、図７（ｆ）に示す画面となり、延長が承認される。ＮＯを選択すると、図７（ｃ）に示す延長時間の画面に戻り、延長時間を再度選択することができるようになる。なお、これらの画面表示は一例であり、他の画面表示としても良い。
【００２９】
そして、依頼者が子供を受け取りに来たときに、依頼者は携帯端末を返却し、精算を行う。この精算は、例えば、託児車に設置された図５に示すような精算機により効率的に行うことができる。この精算機は、テンキー２１と、入力した番号を表示する表示部２２と、金額が表示される金額表示部２３と、紙幣挿入部２４ａと、硬貨挿入部２４ｂと、つり銭出力部２５とを備えている。なお、精算機の構成についてはこれに限定されず、種々変更して実施することが可能である。
【００３０２９】
精算は、テンキー２１でＩＤ番号を入力する。このＩＤ番号は表示部２２に表示される。そして、このＩＤ番号に対応する金額が金額表示部２３に表示される。この精算機は、託児車内の端末に接続されており、端末で依頼者のＩＤ番号からかかった費用を計算して、その費用情報に基づいて金額を表示する。依頼者は、紙幣挿入部２４ａと硬貨挿入部２４ｂで金銭を支払う。つり銭や領収書はつり銭出力部２５から出される。なお、託児時間を超過した場合には、超過料金を徴収するようにしても良い。
【００３１０】
次に、本システムにおいて使用する託児車の例について説明する。図８７は、本発明の移動託児所システムに使用する託児車の一例を示す図であり、（ａ）は側面図であり、（ｂ）は透視平面図である。
【００３２１】
この託児車は、図８７（ａ）に示すように、バスの車体を改造したものである。この託児車３０は、ルームエアコン３１と、ドア３２と、スライドステップ３３と、バッテリー３４と、発電機３５と、外部電源コンセント３６と、精算機３７とを備えている。これらは一例であり、他の部材が装備されていても良い。精算機３７は、図５に示す構成を有する。また、託児車には、車体の底部に車体を支える複数の支持脚部を備えており、停車して託児を行うときには、その複数の支持脚部が地面に設置され、車体をその複数の支持脚部で浮かせて安定して車体を支持するようにしても良い。
【００３３２】
託児車の内部は、図８７（ｂ）に示すように、ベッド４１と、ソファー４２と、ソファー４２内に設置されたヒータ４３と、小シート４４と、テレビ４５と、スリッパ置き４６と、トイレ４７と、手洗い４８と、冷蔵庫４９と、ギャレー５０と、運転席５１とを備えている。これらは一例であり、他の部材が装備されていても良い。
【００３４３】
ソファー４２と小シート４４との間のスペースには、絨毯が敷いてある。また、このスペースには、子供たちが遊べるおもちゃなどが置いてある。子供たちが接する部材やおもちゃ、ソファー４２や小シート４４は、軟らかい材料で構成されており、子供たちが安全に過ごせるようになっている。また、このスペースには、おもちゃの収納が可能であり、軟らかい材料で構成されたソフト家具を置いておくことが望ましい。
【００３５４】
また、窓ガラスは、内部から外が見えて、外部から内部が見えない材料で構成されていることが好ましい。また、壁には、子供たちが落書きをしても容易に消すことができる壁材を用い、筆記具もそのような壁材において落書きがすぐに消せるものにすることが好ましい。また、託児車には、安全のために内部からロックがかかる構成にすることが望ましい。
【００３６５】
また、トイレ４７には、おむつを取り替える台、おむつ置き、ティッシュボックスなどが一体となったおむつ替えセットが設置されている。さらに、トイレ４７には、汚物を微生物などで分解できる生分解性の材料を用いることもできる。
【００３７６】
また、図９８に示すように、託児車６０の他の例としては、図９８に示すように、トラックの車体を改造したものを挙げることができる。この他、トレーラやキャンピングカーの車体を改造したものを託児車として使用しても良い。
【００３８７】
このように、本発明の移動託児所システムは、講演会やイベントなどの会場であっても短時間子供を預けることができ、依頼者のイベントなどの参加が可能となる。この結果、女性が子守りにより趣味やイベント参加が妨げられることを回避して、積極的に社会参加を行うことが可能となる。
【００３９８】
託児時間中の保育内容についても、依頼者がイベントなどに参加する場合、そのイベント内容に則した保育内容にすることにより、子供達にもイベントの内容を理解させることができる。例えば、コンサートイベントなどの場合に、保育内容を簡単な楽器作りにする。これにより、質の高い保育を提供することもできる。
【００４０３９】
このシステムを利用することにより、種々の社会活動を行うこともできる。例えば、保育園の青空保育の際にこのシステムを利用することにより、託児する子供以外の近くの親子も参加することが可能となる。これにより、地域ぐるみの子育てに発展させることも考えられる。この場合、青空保育をしながら、託児車内で子供の育児相談、子供との遊び方、マッサージなどを行うようにしても良い。
【００４１０】
また、このシステムは、移動が可能であるので、子供のための遊び場がない場所や、海山などにも行くことが可能となり、上述した保育を行うことも可能となる。さらに、託児車に専門の知識を持った相談員を派遣したり、ベビーフードや育児用品のサンプルを配るようにすることにより、託児車を育児の移動アンテナ基地として使用することも可能となる。
【００４２１】
本発明は上記実施の形態に限定されず、種々変更して実施することが可能である。例えば、上記実施の形態における数値、大きさ、部材の種類などはすべて例示であり、これらの限定されない。
【００４３２】
上記実施の形態では、子供を預けるときに携帯端末を貸与し、子供を受け取る際に携帯端末を返却し、精算は精算機で行う場合について説明しているが、本発明においては、依頼者自身の携帯端末を使用して、精算は依頼者自身の携帯端末に課金されるようにシステムを構築しても良い。さらには、精算は託児情報に基づいて移動託児管理センタで自動的に行い託児車に送ることもできる。
【００４４３】
【発明の効果】
以上説明したように、本発明の移動託児所システムは、移動可能であり、少なくとも一人の子供の託児を行うことができるスペースを有する託児車と、前記託児車における託児の情報を管理する移動託児所管理センタと、を具備し、あらかじめ申し込んだ託児時間、場所、人数において、依頼者が子供を託児車に預け、前記依頼者が前記子供を引き取る際に託児時間分の託児費用の精算を自動的に行うので、講演会やイベントなどの会場で短時間子供を簡単に預けることができ、依頼者のイベントなどの参加が可能となる。この結果、子守りにより趣味やイベント参加が妨げられることを回避して、積極的に社会参加を行うことが可能となる。
【図面の簡単な説明】
【図１】本発明の一実施の形態に係る移動託児所システムの構成を説明するための図である。
【図２】本発明の移動託児所システムにおける移動託児所管理センタでの管理項目を説明するための図である。
【図３】本発明の移動託児所システムにおける託児車での管理項目を説明するための図である。
【図４】本発明の移動託児所システムにおける託児車でのタイムスケジュールを説明するための図である。
【図５】本発明の移動託児所システムにおける託児車に設置された精算機を示す図である。
【図６】本発明の移動託児所システムの手順を示すシーケンス図である。
【図７】（ａ）から（ｆ）は、本発明の移動託児所システムにおける携帯端末の画面表示を示す図である。
【図８】本発明の移動託児所システムに使用する託児車の一例を示す図であり、（ａ）は側面図であり、（ｂ）は透視平面図である。
【図９】本発明の移動託児所システムに使用する託児車の他の例を示す図である。
【符号の説明】
１１　移動託児所管理センタ
１２ａ，１２ｂ　託児車
１３ａ，１３ｂ　依頼者
２１　テンキー
２２　表示部
２３　金額表示部
２４ａ　紙幣挿入部
２４ｂ　硬貨挿入部
２５　つり銭出力部
３０，６０　託児車
３１　ルームエアコン
３２　ドア
３３　スライドステップ
３４　バッテリー
３５　発電機
３６　外部電源コンセント
３７　精算機
４１　ベッド
４２　ソファー
４３　ヒータ
４４　小シート
４５　テレビ
４６　スリッパ置き
４７　トイレ
４８　手洗い
４９　冷蔵庫
５０　ギャレー
５１　運転席
【図１】
2004094600.tif 000003
【図２】
2004094600.tif 000004
【図３】
2004094600.tif 000005
【図４】
2004094600.tif 000006
【図５】
2004094600.tif 000007
【図６】
2004094600.tif 000008
【図７】
2004094600.tif 000009
【図８】
2004094600.tif 000010
【図９】
2004094600.tif 000011